(57)【要約】【課題】電子機器の姿勢を、表面に表示される画像を操作者が見やすい状態にした場合おいても、操作者に対向する相手にも見やすい画像を表示することができる電子機器を提供する。【解決手段】電子機器は、自機器の姿勢が第１姿勢において、第１視点位置の方向に画像を表示する第１表示面と、前記第１視点位置の方向とは異なる第２視点位置の方向に画像を表示する第２表示面と、前記自機器の姿勢が前記第１姿勢の場合、前記第２表示面に表示する画像の表示態様を第１表示態様とし、前記自機器の姿勢が前記第１姿勢とは異なる第２姿勢の場合、前記第２表示面に表示する前記画像の表示態様を第２表示態様として、前記第２視点位置の方向から観察可能に前記第２表示面に表示する画像の表示態様を制御する表示制御部とを備える。【選択図】図５
2015141321.tif 000002
【特許請求の範囲】
【請求項１】
自機器の姿勢が第１姿勢において、第１視点位置の方向に画像を表示する第１表示面と、
前記第１視点位置の方向とは異なる第２視点位置の方向に画像を表示する第２表示面と、
前記自機器の姿勢が前記第１姿勢の場合、前記第２表示面に表示する画像の表示態様を第１表示態様とし、前記自機器の姿勢が前記第１姿勢とは異なる第２姿勢の場合、前記第２表示面に表示する前記画像の表示態様を第２表示態様として、前記第２視点位置の方向から観察可能に前記第２表示面に表示する画像の表示態様を制御する表示制御部と
を備えることを特徴とする電子機器。
【請求項２】
前記自機器の姿勢には、前記第１表示面の表示角度が含まれ、
前記第１表示態様は、前記第１表示面の表示角度のうちの第１表示角度に対応し、
前記第２表示態様は、前記第１表示面の表示角度のうちの前記第１表示角度とは異なる第２表示角度に対応し、
前記表示制御部は、
前記第１表示態様と、前記第２表示態様とを、前記第１表示面の表示角度に応じて切換える
ことを特徴とする請求項１に記載の電子機器。
【請求項３】
前記第２表示面の表示態様には、前記第２表示面が表示する画像の前記第１表示面に対する表示角度が含まれ、
前記第１表示態様は、前記第２表示面が表示する画像の前記第１表示面に対する表示角度のうちの第３表示角度に対応し、
前記第２表示態様は、前記第２表示面が表示する画像の前記第１表示面に対する表示角度のうちの前記第３表示角度とは異なる第４表示角度に対応し、
前記表示制御部は、
前記第３表示角度と、前記第４表示角度とを、自機器の姿勢に応じて切換える
ことを特徴とする請求項１または請求項２に記載の電子機器。
【請求項４】
前記第２表示面は、
空間に虚像を表示する前記第１表示態様としての立体表示と、前記第２表示態様としての非立体表示とが可能であり、
前記表示制御部は、
自機器の姿勢に応じて、前記立体表示と前記非立体表示とを切換えることによって前記第２表示面の表示態様を切換える
ことを特徴とする請求項１から請求項３のいずれか一項に記載の電子機器。
【請求項５】
前記第２表示面が表示する画像を反射する反射面
を備え、
前記第２表示面は、
前記反射面に対して鏡像を表示する前記第１表示態様としての鏡像表示と、前記第２表示態様としての非鏡像表示とが可能であり、
前記表示制御部は、
自機器の姿勢に応じて、前記鏡像表示と前記非鏡像表示とを切換えることによって前記第２表示面の表示態様を切換える
ことを特徴とする請求項１から請求項４のいずれか一項に記載の電子機器。
【請求項６】
前記第１表示面の反対面に画像を投射する投射部
を備え、
前記表示制御部は、
自機器の姿勢に応じて、前記第１表示態様としての前記第２表示面による画像の表示と、前記第２表示態様としての前記投射部による画像の投射とを切換えることによって前記第２表示面の表示態様を切換える
ことを特徴とする請求項１から請求項５のいずれか一項に記載の電子機器。
【請求項７】
前記第１表示面と、前記第２表示面とのなす角を可変にする角度可変部
をさらに備えることを特徴とする請求項１から請求項６のいずれか一項に記載の電子機器。
【請求項８】
自機器の姿勢が第１姿勢において、第１視点位置の方向に画像を表示する第１表示面と、前記第１視点位置の方向とは異なる第２視点位置の方向に画像を表示する第２表示面とを備える電子機器のコンピュータに、
自機器の姿勢を検出する検出ステップと、
前記自機器の姿勢が前記第１姿勢の場合、前記第２表示面に表示する画像の表示態様を第１表示態様とし、前記自機器の姿勢が前記第１姿勢とは異なる第２姿勢の場合、前記第２表示面に表示する前記画像の表示態様を第２表示態様として、前記第２視点位置の方向から観察可能に前記第２表示面に表示する画像の表示態様を制御する表示制御ステップと、
を実行させるためのプログラム。
【発明の詳細な説明】
【技術分野】
【０００１】
本発明は、電子機器、およびプログラムに関する。
【背景技術】
【０００２】
近年、例えば、機器本体の表裏両面に表示部を備え、操作者に画像を表示するとともに、操作者に向き合う相手に対しても画像を表示することを可能にした電子機器がある（例えば、特許文献１を参照）。
【先行技術文献】
【特許文献】
【０００３】
【特許文献１】特開平９−３１９４６１号公報
【発明の概要】
【発明が解決しようとする課題】
【０００４】
しかしながら、上記のような電子機器は、電子機器の姿勢を、表面に表示される画像を操作者が見やすい状態にすると、操作者に向き合う相手からは、裏面に表示される画像が見にくくなるという問題があった。
【０００５】
本発明は、上記問題を解決すべくなされたもので、その目的は、操作者とその相手とのいずれにも見やすい画像を表示することができる電子機器、およびプログラムを提供することにある。
【課題を解決するための手段】
【０００６】
本発明の一実施形態は、自機器の姿勢が第１姿勢において、第１視点位置の方向に画像を表示する第１表示面と、前記第１視点位置の方向とは異なる第２視点位置の方向に画像を表示する第２表示面と、前記自機器の姿勢が前記第１姿勢の場合、前記第２表示面に表示する画像の表示態様を第１表示態様とし、前記自機器の姿勢が前記第１姿勢とは異なる第２姿勢の場合、前記第２表示面に表示する前記画像の表示態様を第２表示態様として、前記第２視点位置の方向から観察可能に前記第２表示面に表示する画像の表示態様を制御する表示制御部とを備えることを特徴とする電子機器である。
【０００７】
また、本発明の一実施形態は、自機器の姿勢が第１姿勢において、第１視点位置の方向に画像を表示する第１表示面と、前記第１視点位置の方向とは異なる第２視点位置の方向に画像を表示する第２表示面とを備える電子機器のコンピュータに、自機器の姿勢を検出する検出ステップと、前記自機器の姿勢が前記第１姿勢の場合、前記第２表示面に表示する画像の表示態様を第１表示態様とし、前記自機器の姿勢が前記第１姿勢とは異なる第２姿勢の場合、前記第２表示面に表示する前記画像の表示態様を第２表示態様として、前記第２視点位置の方向から観察可能に前記第２表示面に表示する画像の表示態様を制御する表示制御ステップと、を実行させるためのプログラムである。
【発明の効果】
【０００８】
この発明によれば、操作者とその相手とのいずれにも見やすい画像を表示することができる。
【図面の簡単な説明】
【０００９】
【図１】本発明の第１の実施形態に係る電子機器の構成の一例を示す構成図である。
【図２】本実施形態における電子機器の第１面側の外観構成の一例を示す構成図である。
【図３】本実施形態における電子機器の第２面側の外観構成の一例を示す構成図である。
【図４】本実施形態における電子機器の機能構成の一例を示す構成図である。
【図５】本実施形態における第２表示部の表示態様の一例を示す模式図である。
【図６】本実施形態の電子機器の動作の一例を示すフローチャートである。
【図７】本発明の第２の実施形態に係る電子機器の構成の一例を示す構成図である。
【図８】本発明の第３の実施形態に係る電子機器の構成の一例を示す構成図である。
【図９】各実施形態の電子機器の第１の変形例を示す模式図である。
【図１０】各実施形態の電子機器の第２の変形例を示す模式図である。
【図１１】従来の両面表示装置による表示例を示す模式図である。
【発明を実施するための形態】
【００１０】
［第１の実施形態]
以下、図面を参照して、本発明の第１の実施形態を説明する。
図１は、本発明の第１の実施形態に係る電子機器１の構成の一例を示す構成図である。
【００１１】
電子機器１は、両面表示装置であり、互いに表裏の位置関係にある第１面１０１と第２面１０２とを備えている。この電子機器１は、第１面１０１に第１表示部１１を備えており、第２面１０２に第２表示部１２を備えている。この電子機器１は、例えば、机上据置型の表示装置であってもよく、図１に示すように、操作者Ｕ１が把持できるタブレット型の表示装置であってもよい。以下、電子機器１を机上に載置して、操作者Ｕ１と、操作者Ｕ１の相手Ｕ２とが互いに向かい合っている場合を例に説明する。この場合、操作者Ｕ１が見る面が第１面１０１であり、操作者の相手Ｕ２が見る面が第２面１０２である。
【００１２】
ここで、従来の両面表示装置Ｄによる表示例について、図１１を参照して説明する。
図１１は、従来の両面表示装置Ｄによる表示例を示す模式図である。図１１（Ａ）に示すように、両面表示装置Ｄは、第１表示部Ｄ１と第２表示部Ｄ２とを備えている。この第１表示部Ｄ１は、操作者Ｕ１に対して画像を表示する。また、第２表示部Ｄ２は、操作者Ｕ１の相手Ｕ２に対して画像を表示する。ここで、両面表示装置Ｄを机ＴＢＬの上に置いた場合に、両面表示装置Ｄの姿勢を、第１表示部Ｄ１に表示される画像を操作者Ｕ１が見やすい姿勢にする。この一例では、操作者Ｕ１が見やすい姿勢とは、図１１（Ｂ）に示すように、机ＴＢＬと第１表示部Ｄ１とのなす角θ１が、ある角度（例えば、９０［°］）を超えるようにした姿勢である。このとき、第２表示部Ｄ２と、机ＴＢＬとのなす角θ２が、ある角度（例えば、９０［°］）以下になる。このため、相手Ｕ２からは、第２表示部Ｄ２が見にくくなる。つまり、従来の両面表示装置Ｄによると、両面表示装置Ｄの姿勢を、操作者Ｕ１が第１表示部Ｄ１を見やすい状態にすると、操作者Ｕ１の相手Ｕ２からは、第２表示部Ｄ２が見にくい状態になる。
一方、本実施形態の電子機器１によれば、操作者Ｕ１とその相手Ｕ２とのいずれにも見やすい画像を表示することができる。この電子機器１の構成について、図２〜図４を参照して説明する。
【００１３】
図２は、本実施形態における電子機器１の第１面１０１側の外観構成の一例を示す構成図である。この図２に示すように、電子機器１は、第１面１０１（第１表示面）に、第１表示部１１と、第１操作検出部２１とを備えている。この第１表示部１１は、例えば液晶ディスプレイを備えており、画像を表示する。なお、以下の説明において、操作者Ｕ１が電子機器１を見る位置を第１視点位置とも記載する。この電子機器１は、第１視点位置から第１面１０１を操作者Ｕ１が見た場合に、第１表示部１１に表示されている画像が観察可能に、画像を表示する。すなわち、第１表示部１１は、第１視点位置の方向に画像を表示する。ここで、観察可能とは、表示されている画像が観察しやすい（見やすい）ことをいう。例えば、液晶ディスプレイが表示する画像を、この液晶パネルの視野角内から観察すると、視野角外から観察する場合に比べて、表示されている画像が観察しやすい。この場合、観察可能とは、第１視点位置から、第１表示部１１を見た場合に、第１表示部１１の視野角内から観察できることをいう。
【００１４】
第１操作検出部２１は、接触センサを備えており、第１表示部１１に対する接触状態を検出する。この第１操作検出部２１は、第１表示部１１に対する接触状態を検出することにより、第１表示部１１に対する操作を検出する。例えば、操作者Ｕ１が指で第１表示部１１をタップすると、第１操作検出部２１は、タップされた位置を検出する。
【００１５】
図３は、本実施形態における電子機器１の第２面１０２側の外観構成の一例を示す構成図である。この図３に示すように、電子機器１は、第２面１０２（第２表示面）に、第２表示部１２と、第２操作検出部２２とを備えている。この第２表示部１２は、第１表示部１１と同様に、例えば液晶ディスプレイを備えており、第１面１０１の反対面、すなわち第２面１０２に画像を表示する。この第２表示部１２は、空間に虚像を表示する立体表示（三次元表示）と、空間に虚像を表示しない非立体表示（二次元表示）とを切換えて、画像を表示することが可能である。すなわち、第２表示部１２は、三次元表示モードと二次元表示モードと切換えて画像を表示することができる。なお、以下の説明において、第１表示部１１と第２表示部１２とを総称して、単に「表示部」とも記載する。また、三次元表示モードを、第１表示態様とも記載する。また、二次元表示モードを、第２表示態様とも記載する。また、相手Ｕ２が電子機器１を見る位置を第２視点位置とも記載する。この電子機器１は、第２視点位置から第２面１０２を相手Ｕ２が見た場合に、第２表示部１２に表示されている画像が観察可能に、画像を表示する。すなわち、第２面１０２（第２表示面）は、第１視点位置の方向とは異なる第２視点位置の方向に画像を表示する。
【００１６】
第２操作検出部２２は、第１操作検出部２１と同様に、例えばタッチパネルなどの接触センサを備えており、第２表示部１２に対する接触状態を検出する。この第２操作検出部２２は、第２表示部１２に対する接触状態を検出することにより、第２表示部１２に対する操作を検出する。例えば、操作者Ｕ１の相手方が指で第２表示部１２をタップすると、第２操作検出部２２は、タップされた位置を検出する。
【００１７】
上述した第１操作検出部２１、および第２操作検出部２２が備える接触センサは、タッチパネル方式の操作入力デバイスであって、例えば、静電容量方式の接触センサである。なお、接触センサは、静電容量方式に代えて、電磁誘導方式でもよいし、赤外線方式でもよいし、表面弾性波方式でもよいし、抵抗膜方式でもよいし、マトリクス・スイッチ方式でもよい。また、接触センサは、同時に複数個所の接触を検出することができる多点入力可能な、いわゆるマルチタッチパネル方式であってもよい。電子機器１は、第１操作検出部２１および第２操作検出部２２がそれぞれ検出した操作に基づいて、種々の動作を行う。この動作の詳細については、説明を省略する。以下の説明において、第１操作検出部２１と第２操作検出部２２とを総称して、単に「操作検出部」とも記載する。
【００１８】
図４は、本実施形態における電子機器１の機能構成の一例を示す構成図である。この図４に示すように、電子機器１は、その内部に記憶部３０と、姿勢検出部４０と、制御部５０と、バス８０とを備えている。この図４において図２、図３の各部に対応する部分には同一の符号を付している。
【００１９】
バス８０は、第１表示部１１、第２表示部１２、第１操作検出部２１、第２操作検出部２２、記憶部３０、姿勢検出部４０、および制御部５０と接続され、各部から出力された画像情報や制御情報等を転送する。
【００２０】
記憶部３０には、制御部５０が実行するプログラムなどの制御情報や、各表示面に表示する画像の画像情報が記憶されている。制御部５０は、バス８０を介して記憶部３０からこれらの情報を読み出してプログラムを実行し、各表示面に画像を表示する。また、記憶部３０には、制御部５０が各表示面に画像を表示する際に演算した結果が一時的に保存される。
【００２１】
姿勢検出部４０は、例えば、傾斜センサを備えており、電子機器１の姿勢を検出する。ここで、電子機器１の姿勢とは、重力方向に対する第１面１０１（または、第２面１０２）の角度であってもよいし、電子機器１が載置された面（例えば、机ＴＢＬの上面）に対する第１面１０１（または、第２面１０２）の角度であってもよい。また、姿勢検出部４０は、周囲の画像を撮像するカメラを備えていてもよい。この場合には、姿勢検出部４０は、カメラが撮像した画像に基づいて、相手Ｕ２の視線と第２表示部１２の表示面とのなす角を、電子機器１の姿勢として検出する。すなわち、電子機器１の姿勢とは、相手Ｕ２の視線と第２表示部１２の表示面とのなす角であってもよい。また、姿勢検出部４０は、電子機器１の外部の装置から、電子機器１の姿勢を示す情報を取得することにより、電子機器１の姿勢を検出してもよい。例えば、電子機器１の姿勢を撮像するカメラから、撮像された画像を無線または有線の通信によって取得し、取得した画像に含まれる電子機器１の画像を処理することにより、電子機器１の姿勢を検出してもよい。以下、姿勢検出部４０が、重力方向に対する第１面１０１の角度を、電子機器１の姿勢として検出する場合を一例に説明する。
【００２２】
制御部５０は、操作制御部５１、および表示制御部５２を備えている。
操作制御部５１は、各操作検出部（第１操作検出部２１、および第２操作検出部２２）が検出する操作に対する動作を制御する。例えば、各操作検出部が文字入力操作を検出した場合には、操作制御部５１は、入力された文字を文字コードに変換する動作を制御する。
【００２３】
表示制御部５２は、各表示部（第１表示部１１、および第２表示部１２）の表示動作を制御する。具体的には、表示制御部５２は、各表示部に表示させる情報を選択して表示させる動作、各表示部の表示のオン（表示状態）とオフ（非表示状態）とを切換える動作等を制御する。ここで、各表示部に表示させる情報とは、画像、文字またはアイコン等による情報、メニュー画面等、表示部に表示させる情報のいずれであってもよい。
【００２４】
また、表示制御部５２は、電子機器１の姿勢に応じて、第２表示部１２の表示態様を切換える。上述したように、電子機器１の姿勢は、姿勢検出部４０によって検出される。すなわち、表示制御部５２は、姿勢検出部４０が検出した電子機器１の姿勢に応じて、第２表示部１２の表示態様を切換える。換言すれば、表示制御部５２は、電子機器１の姿勢が第１姿勢の場合、第２表示部１２に表示する画像の表示態様を第１表示態様とし、電子機器１の姿勢が第１姿勢とは異なる第２姿勢の場合、第２表示部１２に表示する画像の表示態様を第２表示態様として、第２視点位置の方向から観察可能に第２表示部１２に表示する画像の表示態様を制御する。
【００２５】
具体的には、表示制御部５２は、姿勢検出部４０が検出した重力方向に対する第１面１０１の角度、すなわち第１表示部１１の表示角に応じて、第２表示部１２を二次元表示モードにするか、三次元表示モードにするかを切換える。すなわち、表示制御部５２は、第１表示部１１の表示角に応じて、第２表示部１２の表示態様を切換える。この表示制御部５２が行う表示態様の切り換えについて、図５を参照して説明する。
【００２６】
図５は、本実施形態における第２表示部１２の表示態様の一例を示す模式図である。同図に示すように、操作者Ｕ１は、電子機器１を机ＴＢＬの上に置いた場合に、電子機器１の姿勢を、第１表示部Ｄ１に表示される画像を操作者Ｕ１が見やすい姿勢にする。この一例では、操作者Ｕ１が見やすい電子機器１の姿勢とは、机ＴＢＬと第１表示部１１とのなす角が、図５に示す角θ１になる姿勢である。ここで、机ＴＢＬと第２表示部１２とのなす角は、図５に示す角θ２である。このとき、角θ１をある角度（例えば、９０［°］）以上にすることにより、電子機器１の姿勢が、操作者Ｕ１が見やすい姿勢になる。なお、以下の説明において、この「ある角度」を、しきい値角度とも記載する。また、以下の説明において、机ＴＢＬと第１表示部１１とのなす角θ１を、第１表示部１１の表示角θ１とも記載する。また、机ＴＢＬと第２表示部１２とのなす角θ２を、第２表示部１２の表示角θ２とも記載する。
【００２７】
以下、各図の説明においてはＸＹＺ直交座標系を設定し、このＸＹＺ直交座標系を参照しつつ各部の位置関係について説明する。電子機器１が載置されている面をＸＺ平面とし、当該ＸＺ平面にそれぞれ直交する方向をＹ軸方向とする。ここでＸ軸方向は、操作者Ｕ１と相手Ｕ２とが電子機器１に向かい合う方向とし、Ｙ軸方向は電子機器１の鉛直上方向とする。
【００２８】
図５の一例において、角θ１をしきい値角度（例えば、９０［°］）以上にした場合には、角θ２は、しきい値角度よりも小さい角度になるため、相手Ｕ２からは、第２表示部１２が見にくくなる。したがって、表示制御部５２は、角θ２がしきい値角度よりも小さいか否かを判定することによって、相手Ｕ２から第２表示部１２が見にくいか否かを判定することができる。そこで、表示制御部５２は、角θ２がしきい値角度よりも小さいと判定すると、第２表示部１２の表示モードを切換えて、相手Ｕ２からも第２表示部１２が表示する画像を見やすい角度で表示する。具体的には、表示制御部５２は、角θ２がしきい値角度よりも小さいと判定すると、第２表示部１２の表示モードを二次元表示モードから三次元表示モードに切換えて、第２表示部１２に表示すべき画像を、表示角が角θ３である虚像ＶＩとして表示する。
【００２９】
なお、表示制御部５２は、角θ２がしきい値角度よりも小さいか否かを判定することに代えて、角θ１と角θ２との大小関係を比較することによっても、第２表示部１２が見にくいか否かを判定することができる。具体的には、表示制御部５２は、姿勢検出部４０が検出した電子機器１の姿勢に基づいて、角θ１と、角θ２とを算出する。また、表示制御部５２は、算出した角θ１と、角θ２とを比較し、角θ２が角θ１よりも小さいと判定すると、第２表示部１２に表示すべき画像を、表示角が角θ３である虚像ＶＩとして表示する。
【００３０】
上述したように、表示制御部５２は、第２表示部１２の表示モードを、二次元表示モードから三次元表示モードに切換えることによって、画像の表示角を、角θ２から、角θ３に切換えることができる。これにより、相手Ｕ２は、見やすい角度（この一例では、角θ３）で表示された虚像ＶＩを見ることができる。すなわち、電子機器１は、操作者Ｕ１とその相手Ｕ２とのいずれにも見やすい画像を表示することができる。
【００３１】
この一例において、表示制御部５２は、角θ３を９０［°］よりも大きい角度にして、虚像ＶＩを表示することが好ましい。これにより、相手Ｕ２は、視線を下方（−Ｙ方向）にして画像（虚像ＶＩ）を見ることができる。つまり、電子機器１は、角θ３を９０［°］よりも大きい角度にすることにより、さらに見やすい画像を表示することができる。
【００３２】
また、この角θ３とは、第１表示部１１の表示角である角θ１に対応する角度である。すなわち、表示制御部５２は、虚像ＶＩの表示角（角θ３）を、第１表示部１１の表示角θ１に対応する角度にして、第２表示部１２が表示する画像の表示角を切換える。換言すれば、表示制御部５２は、自機器の姿勢に応じて、第２表示部１２が表示する画像の第１表示部１１に対する表示角を切換える。これにより、電子機器１は、第１表示部１１が表示する画像を操作者Ｕ１が見る角度と、第２表示部１２が表示する虚像ＶＩを相手Ｕ２が見る角度とを、対応する角度（例えば、同一の角度）にすることができる。すなわち、電子機器１は、第１表示部１１が表示する画像を操作者Ｕ１が見やすい角度にした場合においても、相手Ｕ２が見やすい角度にして虚像ＶＩを表示することができる。つまり、電子機器１は、操作者Ｕ１とその相手Ｕ２とのいずれにも見やすい画像を表示することができる。
【００３３】
なお、表示制御部５２が、姿勢検出部４０が検出した電子機器１の姿勢に基づいて、第２表示部１２の表示モードを、二次元表示モードから三次元表示モードに切換える例について説明したが、これに限られない。例えば、表示制御部５２は、表示モードの切り換えに代えて、虚像ＶＩの表示角を切換えてもよい。具体的には、第２表示部１２の表示モードが三次元表示モードである場合において、表示制御部５２は、姿勢検出部４０が検出した電子機器１の姿勢に基づいて、虚像ＶＩの表示角（角θ３）を、第１表示部１１の表示角θ１に対応する角度にして、虚像ＶＩの表示角を切換える。このように構成しても、電子機器１は、操作者Ｕ１とその相手Ｕ２とのいずれにも見やすい画像を表示することができる。
【００３４】
次に、図６を参照して、本実施形態の電子機器１の動作について説明する。
図６は、本実施形態の電子機器１の動作の一例を示すフローチャートである。電子機器１は、ステップＳ１０〜ステップＳ３０に示す一連の処理を所定の間隔で（例えば、０．１秒ごとに）実行する。
【００３５】
姿勢検出部４０は、第１表示部１１が表示する表示角を検出する（ステップＳ１０；検出ステップ）。具体的には、姿勢検出部４０は、重力方向（例えば、図５の−Ｙ方向）を検出し、検出した重力方向に基づいて、重力方向に直交する水平方向（例えば、図５のＸ方向）を算出する。また、姿勢検出部４０は、算出した水平方向に対する自機器のなす角（例えば、図５の角θ１）を、検出した重力方向に基づいて算出する。また、姿勢検出部４０は、算出した自機器のなす角を第１表示部１１の表示角θ１として、バス８０を介して表示制御部５２に出力する。
【００３６】
表示制御部５２は、ステップＳ１０において姿勢検出部４０が検出した表示角θ１が、所定の角度を超えているか否かを判定する（ステップＳ２０；表示制御ステップ）。ここで、所定の角度とは、例えば、９０［°］である。この例の場合、表示制御部５２は、図５に示す角θ１が９０［°］を超えているか否かを判定する。ここで、角θ１が９０［°］を超えている状態である場合には、図５に示す角θ２が９０［°］よりも小さくなる。この角θ１が９０［°］を超えている状態とは、相手Ｕ２にとって、第２表示部１２が表示する画像を見にくい状態である。表示制御部５２は、姿勢検出部４０が検出した表示角θ１が、所定の角度を超えている場合（ステップＳ２０；ＹＥＳ）には、表示制御部５２は、第２表示面の表示モードを二次元表示モードから三次元表示モードに切換える（ステップＳ３０；表示制御ステップ）。また、表示制御部５２は、三次元表示モードにおける虚像ＶＩの表示角θ３を、姿勢検出部４０が検出した表示角θ１に応じた角度に設定し、第２表示部１２によって虚像ＶＩを表示させて処理を終了する。一方、表示制御部５２は、姿勢検出部４０が検出した表示角が、所定の角度を超えていない場合（ステップＳ２０；ＮＯ）には、表示モードを切換えずに処理を終了する。
【００３７】
以上説明したように、電子機器１は、自機器の姿勢に応じて、第２表示部１２の表示態様を切換える表示制御部５２を備えている。この表示制御部５２を備えることにより、電子機器１は、電子機器１の姿勢が、相手Ｕ２にとって第２表示部１２が表示する画像を見にくい姿勢である場合に、第２表示部１２の表示態様を切換えることができる。すなわち、電子機器１は、操作者Ｕ１とその相手Ｕ２とのいずれにも見やすい画像を表示することができる。
【００３８】
［第２の実施形態]
以下、図面を参照して、本発明の第２の実施形態を説明する。なお、上述した第１の実施形態と同様の構成については、同一の符号を付して説明を省略する。
図７は、本発明の第２の実施形態に係る電子機器１ａの構成の一例を示す構成図である。この電子機器１ａは、第２表示部１２が表示する画像を反射する反射部１３を備える点において、上述した電子機器１と相違する。
【００３９】
反射部１３は、鏡や鏡面加工された樹脂などによって構成されており、第２表示部１２が表示する画像を反射する。この反射部１３は、反射面の一例である。ここで、図７に示すように、電子機器１ａが、机ＴＢＬと第１表示部１１とのなす角を角θ１にして載置されている場合について説明する。反射部１３は、第２表示部１２が表示する画像を、図７に示す反射角θ４の方向に反射する。相手Ｕ２は、反射部１３によって反射された画像（反射像ＲＩ）を見ることができる。このため、電子機器１ａは、表示角θ２がしきい値角度よりも小さい場合において、相手Ｕ２が第２表示部１２を直接見る場合に比べて、相手Ｕ２が見やすい画像を表示することができる。
【００４０】
また、この場合において、反射部１３によって反射された画像（反射像ＲＩ）は、第２表示部１２が表示する画像の鏡像になる。したがって、第２表示部１２は、反射部１３に対して鏡像を表示する鏡像表示と、非鏡像表示とが可能であることが好ましい。この場合、表示制御部５２は、自機器の姿勢に応じて、鏡像表示と非鏡像表示とを切換える。この場合、鏡像表示とは、第１表示態様の一例であり、非鏡像表示とは、第２表示態様の一例である。具体的には、表示制御部５２は、第２表示部１２の表示角θ２がしきい値角度（例えば、９０［°］）以上であると判定すると、第２表示部１２の表示モードを非鏡像表示モードに切換える。これにより、相手Ｕ２は、第２表示部１２に表示されている画像を直接見ることができる。また、表示制御部５２は、第２表示部１２の表示角θ２がしきい値角度よりも小さいと判定すると、第２表示部１２の表示モードを非鏡像表示モードから、鏡像表示モードに切換える。このようにして表示制御部５２は、反射部１３によって反射された第２表示部１２の画像（反射像ＲＩ）を正立像にする。これにより、相手Ｕ２は、第２表示部１２を直接見た場合に比べて、見やすい角度で表示された反射像ＲＩを見ることができる。すなわち、電子機器１ａは、操作者Ｕ１とその相手Ｕ２とのいずれにも見やすい画像を表示することができる。
【００４１】
なお、この反射部１３は、ヒンジ部Ｈ１のＺ軸方向の軸を回転中心にして第２表示部１２側に折りたためるように構成されていてもよい。このように構成することにより、電子機器１ａは、反射部１３を使用しない場合には、第２表示部１２側に反射部１３を折りたたむことができるため、反射部１３を折りたためない場合に比べて、装置を小型化することができる。さらに、反射部１３が透明である場合には、反射部１３を折りたたんだ状態でも第２表示部１２が表示する画像を透過させることができる。
【００４２】
［第３の実施形態]
以下、図面を参照して、本発明の第３の実施形態を説明する。なお、上述した各実施形態と同様の構成については、同一の符号を付して説明を省略する。
図８は、本発明の第３の実施形態に係る電子機器１ｂの構成の一例を示す構成図である。この電子機器１ｂは、第２表示部１２が表示する画像を投射する投射部１４を備える点において、上述した電子機器１と相違する。
【００４３】
投射部１４は、例えば、液晶プロジェクタなどによって構成されており、第２表示部１２が表示する画像を第１表示部１１の反対面に投射する。相手Ｕ２は、投射部１４によって投射された画像（投射像ＰＩ）を見ることができる。このため、電子機器１ｂは、表示角θ２がしきい値角度よりも小さい場合において、相手Ｕ２が第２表示部１２を直接見る場合に比べて、相手Ｕ２が見やすい画像を表示することができる。
【００４４】
この場合、表示制御部５２は、自機器の姿勢に応じて、第２表示部１２による画像の表示と、投射部１４の投射による画像の表示とを切換える。この場合、第２表示部１２による画像の表示とは、第１表示態様の一例であり、投射部１４の投射による画像の表示とは、第２表示態様の一例である。具体的には、表示制御部５２は、第２表示部１２の表示角θ２がしきい値角度（例えば、９０［°］）以上であると判定すると、第２表示部１２の表示モードを非投射モードに切換える。これにより、相手Ｕ２は、第２表示部１２に表示されている画像を直接見ることができる。また、表示制御部５２は、第２表示部１２の表示角θ２がしきい値角度よりも小さいと判定すると、第２表示部１２の表示モードを非投射モードから、投射モードに切換える。この投射モードとは、第２表示部１２に表示すべき画像を、投射部１４が投射面（この例においては、机ＴＢＬの面）に投射する表示モードである。これにより、相手Ｕ２は、机ＴＢＬの面に投射された画像（投射像ＰＩ）を見ることができる。つまり、相手Ｕ２は、第２表示部１２を直接見た場合に比べて、見やすい角度で表示された投射像ＰＩを見ることができる。すなわち、電子機器１ｂは、操作者Ｕ１とその相手Ｕ２とのいずれにも見やすい画像を表示することができる。
【００４５】
なお、表示制御部５２は、投射モードにおいて、投射部１４が画像を投射している場合には、第２表示部１２に画像を表示させないようにしてもよい。これにより、電子機器１ｂは、第２表示部１２に画像を表示するための消費電力を削減することができる。
【００４６】
［変形例］
なお、上述した各実施形態の電子機器（電子機器１、電子機器１ａ、または電子機器１ｂ。以下の説明において、これらを総称して単に「電子機器」とも記載する。）は、図９に示すように、角度可変部１５をさらに備えていてもよい。
図９は、各実施形態の電子機器の第１の変形例を示す模式図である。電子機器１ｃは、角度可変部１５を備えている。この角度可変部１５は、例えば、ヒンジ機構を備えており、第１表示部１１と、第２表示部１２とのなす角を可変にする。この角度可変部１５を備えることにより、電子機器１ｃは、第１表示部１１を表示角θ１にするとともに、第２表示部１２を表示角θ２にして、各表示部に画像を表示することができる。この場合、表示制御部５２は、第１表示部１１と、第２表示部１２とのなす角θ５がある角度を超える場合には、第２表示部１２の表示モードを、通常の表示モードに切換える。ここで、通常の表示モードとは、上述した第１の実施形態において、二次元表示モードと三次元表示モードとを切換える場合にあっては、二次元表示モードである。また、通常の表示モードとは、上述した第２の実施形態において、非鏡像表示モードと鏡像表示モードとを切換える場合にあっては、非鏡像表示モードである。また、通常の表示モードとは、上述した第３の実施形態において、非投射モードと投射モードとを切換える場合にあっては、非投射モードである。このように構成することにより、相手Ｕ２は、第２表示部１２に表示される画像を直接見ることができる。このように構成することによっても、電子機器１ｃは、操作者Ｕ１とその相手Ｕ２とのいずれにも見やすい画像を表示することができる。
【００４７】
また、各実施形態の電子機器の変形例を図１０に示す。
図１０は、各実施形態の電子機器の第２の変形例を示す模式図である。図１０に示すように、電子機器１ｄは、第１表示部１１と第２表示部１２とが、いずれも空間に虚像を表示する立体表示（三次元表示）が可能な立体ディスプレイである。この第１表示部１１は、表示角θ１によって虚像ＶＩ１を操作者Ｕ１に対して表示する。また第２表示部１２は、表示角θ２によって虚像ＶＩ２を相手Ｕ２に対して表示する。ここで、表示角θ１は、操作者Ｕ１にとって虚像ＶＩ１を見やすい角度である。また、表示角θ２は、相手Ｕ２にとって虚像ＶＩ２を見やすい角度である。この場合、表示制御部５２は、自機器の姿勢に応じて、第１表示部１１によって虚像ＶＩ１が表示される角度を、操作者Ｕ１にとって見やすい表示角θ１に切換える。また、表示制御部５２は、自機器の姿勢に応じて、第２表示部１２によって虚像ＶＩ２が表示される角度を、相手Ｕ２にとって見やすい表示角θ２に切換える。このように構成することによっても、電子機器１ｄは、操作者Ｕ１とその相手Ｕ２とのいずれにも見やすい画像を表示することができる。
【００４８】
以上、本発明の実施形態を図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【００４９】
なお、上述した第１表示部１１および第２表示部１２は、いずれも、液晶表示パネル有するものに限られものではない。例えば、第１表示部１１および第２表示部１２は、いずれも、有機ＥＬ（Electro-Luminescence）パネル、電子ペーパー方式の表示パネル等、その他の表示パネルを有するものであってもよい。
【００５０】
また、上記実施形態の電子機器を備えている装置に本発明を適することができる。ここで、装置とは、携帯情報端末、タブレット型コンピュータ、携帯電話、電子辞書、電子書籍リーダ等、表示装置を備えている電子機器全般をいう。
【００５１】
なお、上記の実施形態における制御部５０及び、この制御部５０が備える各部は、専用のハードウェアにより実現されるものであってもよく、また、メモリおよびマイクロプロセッサにより実現させるものであってもよい。
【００５２】
なお、この制御部５０が備える各部は、メモリおよびＣＰＵ（中央演算装置）により構成され、制御部５０が備える各部の機能を実現するためのプログラムをメモリにロードして実行することによりその機能を実現させるものであってもよい。
【００５３】
また、制御部５０が備える各部の機能を実現するためのプログラムをコンピュータ読み取り可能な記録媒体に記録して、この記録媒体に記録されたプログラムをコンピュータシステムに読み込ませ、実行することにより、制御部５０が備える各部による処理を行ってもよい。なお、ここでいう「コンピュータシステム」とは、ＯＳや周辺機器等のハードウェアを含むものとする。
【００５４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００５５】
以上、本発明の実施形態を図面を参照して詳述してきたが、具体的な構成はこの実施形態に限られるものではなく、本発明の趣旨を逸脱しない範囲で適宜変更を加えることができる。
【符号の説明】
【００５６】
１、１ａ、１ｂ、１ｃ、１ｄ…電子機器、１１…第１表示部、１２…第２表示部、１３…反射部、１４…投射部、１５…角度可変部、５０…制御部、５２…表示制御部
【図１】
2015141321.tif 000003
【図２】
2015141321.tif 000004
【図３】
2015141321.tif 000005
【図４】
2015141321.tif 000006
【図５】
2015141321.tif 000007
【図６】
2015141321.tif 000008
【図７】
2015141321.tif 000009
【図８】
2015141321.tif 000010
【図９】
2015141321.tif 000011
【図１０】
2015141321.tif 000012
【図１１】
2015141321.tif 000013